(57)【要約】【課題】  利用者が自らの歌唱レベルと比較して難易度が低い楽曲を選曲することが可能なローレベル選曲を行う際に、容易に楽曲を検索できるようにする。【解決手段】  任意の利用者が歌唱容易楽曲の選曲を行う際に、楽曲別歌唱レベル管理手段３５で管理された広域歌唱レベルデータ４５ｂを取得すると共に、当該利用者の利用者ＩＤに基づいて、利用者別歌唱レベル管理手段３７で管理されている利用者別歌唱レベルデータ４５ｃを取得し、検索結果である楽曲の中から、当該利用者の利用者別歌唱レベルと比較して難易度が低い広域歌唱レベルである楽曲のみを選曲対象として表示部に一覧表示するための選曲表示制御手段２２ｃを備える。【選択図】  図１
2010008847.tif 000002
【特許請求の範囲】
【請求項１】
任意のカラオケ演奏端末にシステムログインした利用者による楽曲検索結果を表示部に一覧表示させ、選曲指定された楽曲に選曲者の利用者ＩＤを付帯させて予約登録する機能を有し、選曲に際して、当該利用者が自らの歌唱レベルと比較して難易度が低い楽曲を選曲することが可能な選曲者に対応したローレベル楽曲検索システムであって、
ログイン利用者管理手段と、楽曲別歌唱レベル管理手段と、利用者別歌唱レベル管理手段と、選曲表示制御手段とを備え、
前記ログイン利用者管理手段は、現にカラオケ演奏端末にログインしている利用者を、利用者ＩＤに基づき特定して管理し、
前記楽曲別歌唱レベル管理手段は、楽曲別歌唱レベル管理データベースにおいて、任意のカラオケ演奏端末で任意の利用者が歌唱した任意の楽曲について、それぞれの歌唱採点値の偏差値を広域歌唱レベルとして楽曲別に管理し、
前記利用者別歌唱レベル管理手段は、利用者別歌唱レベル管理データベースにおいて、任意のカラオケ演奏端末で任意の利用者が利用者ＩＤを付帯して選曲した楽曲を当該利用者の歌唱履歴楽曲とすると共に、それぞれの歌唱採点値の偏差値を利用者別歌唱レベルとして利用者別に管理し、
前記選曲表示制御手段は、任意の利用者がローレベル選曲を行う際に、前記楽曲別歌唱レベル管理手段で管理されている広域歌唱レベルデータを取得すると共に、当該利用者の利用者ＩＤに基づいて、前記利用者別歌唱レベル管理手段で管理されている利用者別歌唱レベルデータを取得し、検索結果である楽曲の中から、当該利用者の利用者別歌唱レベルと比較して難易度が低い広域歌唱レベルである楽曲のみを選曲対象として表示部に一覧表示する、
ことを特徴とする選曲者に対応したローレベル楽曲検索システム。
【請求項２】
前記楽曲別歌唱レベル管理手段は、予め設定された利用者属性別に、歌唱採点値の偏差値を広域歌唱レベルとして楽曲毎に管理し、
前記選曲表示制御手段は、任意の利用者がローレベル選曲を行う際に、当該利用者の利用者属性に基づいて、前記楽曲別歌唱レベル管理手段で管理された利用者属性別の広域歌唱レベルデータを取得すると共に、当該利用者の利用者ＩＤに基づいて、前記利用者別歌唱レベル管理手段で管理されている利用者別歌唱レベルデータを取得し、検索結果である楽曲の中から、当該利用者の利用者別歌唱レベルと比較して難易度が低い利用者属性別の広域歌唱レベルである楽曲のみを選曲対象として表示部に一覧表示する、
ことを特徴とする請求項１に記載の選曲者に対応したローレベル楽曲検索システム。
【請求項３】
前記選曲表示制御手段は、当該利用者の歌唱履歴楽曲を除いて、当該利用者の利用者別歌唱レベルと比較して難易度が低い広域歌唱レベルである楽曲のみを選曲対象として表示部に一覧表示する、
ことを特徴とする請求項１又は２に記載の選曲者に対応したローレベル楽曲検索システム。
【発明の詳細な説明】
【技術分野】
【０００１】
本発明は、選曲者に対応したローレベル楽曲検索システムに関し、さらに詳しくは、選曲に際して、利用者が自らの歌唱レベルと比較して難易度が低い楽曲を選曲することが可能なシステムに関するものである。
【背景技術】
【０００２】
従来、カラオケ利用者が所望の楽曲を選曲する際には、冊子状の目次本を用いて目的の楽曲を探し当て、当該楽曲に付与されている楽曲ＩＤをリモコン装置に入力することにより選曲を行っていたが、近年では、ＧＵＩ機能を備えた電子目次本と称されるリモコン装置を用いて選曲を行うことが一般的となっている。この電子目次本は楽曲の検索機能を備えており、歌手名や楽曲名、リリース年、ジャンル等を入力することにより、液晶表示装置等からなる入出力用表示部に検索結果が一覧表示されるようになっている。そして、利用者は、一覧表示された検索結果の中から所望の楽曲を探し当てて選曲指定を行うことにより、冊子状の目次本と比較して容易に目的の楽曲を探し当てることができるという利便性を有している。
【０００３】
ところで、電子目次本を用いて楽曲の検索を行った場合には、検索キーワードを含む楽曲のすべてが選曲対象として一覧表示される。この際、一覧表示される楽曲数が少なければ、所望の楽曲をいち早く探し当てることができるが、一覧表示される楽曲数が多いと、複数ページにわたって検索結果が表示され、所望の楽曲を探し当てるために時間を要する場合がある。
【０００４】
また、利用者の中には、自らが無難に歌える楽曲を歌唱したいという欲求がある。このような楽曲として、例えば、自らが頻繁に歌唱するアーティストの楽曲がある。すなわち、自らが頻繁に歌唱するアーティストの楽曲は、テンポや音域が利用者の好みに合っており、歌い易いものとなっている。
【０００５】
従来、自らが好むアーティストの新曲が発表された場合に、当該アーティストの新曲をいち早く歌唱したいという要望があり、このような楽曲を利用者ができるだけ早いタイミングで選曲して歌唱できるようにした技術が開示されている（特許文献１参照）。
この特許文献１に記載されている技術は、所定の検索モードにおいてヒットした楽曲の中から、利用者が任意の楽曲を指定した状態で新譜データ抽出操作を行った場合、当該指定楽曲と同じアーティストに属する新譜データがあれば、これらを優先的に表示させる機能を有している。
【０００６】
【特許文献１】特開２００５−２８３８０６号公報
【発明の開示】
【発明が解決しようとする課題】
【０００７】
上記特許文献１に記載された技術は、電子目次本を用いて楽曲の検索を行う際に、利用者が好むアーティストの新曲データを容易かつ効果的に知らしめて、いち早く当該楽曲を歌唱できるという優れた効果を奏することができる。
【０００８】
しかしながら、上記特許文献１に記載された技術は、一般的な検索において選曲対象となる楽曲数が多すぎた場合には、所望の楽曲をいち早く探し当てるという点で、さらなる工夫が必要であった。
ところで、カラオケを利用した歌唱を十分に楽しむためには、自らが上手に歌唱できる楽曲を選曲することが好ましい。特に、グループでカラオケを楽しむ場合に、難しい楽曲にチャレンジして上手に歌いこなせないと、人前で恥をかいてしまうのではないかと危惧することがある。また、利用者が常に同じ楽曲ばかり歌唱していたのでは、レパートリーが増えず歌唱がマンネリ化してしまう。
そこで、自ら上手に歌える楽曲や、歌唱経験がなくても無難に歌いこなせる楽曲を選曲して、カラオケを利用した歌唱を十分に楽しみたいという要望がある。
【０００９】
本発明は、上述した事情に鑑み提案されたもので、利用者が楽曲の選曲を行う際に、当該利用者が自らの歌唱レベルと比較して難易度が低い楽曲を容易に検索することが可能な選曲者に対応したローレベル楽曲検索システムを提供することを目的とする。
【課題を解決するための手段】
【００１０】
本発明の選曲者に対応したローレベル楽曲検索システムは、上述した目的を達成するために提案されたもので、以下の特徴点を有している。
すなわち、本発明の選曲者に対応したローレベル楽曲検索システムは、任意のカラオケ演奏端末にシステムログインした利用者による楽曲検索結果を表示部に一覧表示させ、選曲指定された楽曲に選曲者の利用者ＩＤを付帯させて予約登録する機能を有し、選曲に際して、当該利用者が自らの歌唱レベルと比較して難易度が低い楽曲を選曲することが可能なシステムであって、ログイン利用者管理手段と、楽曲別歌唱レベル管理手段と、利用者別歌唱レベル管理手段と、選曲表示制御手段とを備えている。
【００１１】
ログイン利用者管理手段は、現にカラオケ演奏端末にログインしている利用者を、利用者ＩＤに基づき特定して管理するための手段である。楽曲別歌唱レベル管理手段は、楽曲別歌唱レベル管理データベースにおいて、任意のカラオケ演奏端末で任意の利用者が歌唱した任意の楽曲について、それぞれの歌唱採点値の偏差値を広域歌唱レベルとして楽曲別に管理するための手段である。利用者別歌唱レベル管理手段は、利用者別歌唱レベル管理データベースにおいて、任意のカラオケ演奏端末で任意の利用者が利用者ＩＤを付帯して選曲した楽曲を当該利用者の歌唱履歴楽曲とすると共に、それぞれの歌唱採点値の偏差値を利用者別歌唱レベルとして利用者別に管理するための手段である。選曲表示制御手段は、任意の利用者がローレベル選曲を行う際に、楽曲別歌唱レベル管理手段で管理されている広域歌唱レベルデータを取得すると共に、当該利用者の利用者ＩＤに基づいて、利用者別歌唱レベル管理手段で管理されている利用者別歌唱レベルデータを取得し、検索結果である楽曲の中から、当該利用者の利用者別歌唱レベルと比較して難易度が低い広域歌唱レベルである楽曲のみを選曲対象として表示部に一覧表示するための手段である。
【００１２】
また、本発明の選曲者に対応したローレベル楽曲検索システムは、上述した構成に加えて、利用者の属性に応じて歌唱レベルを管理することが可能である。すなわち、楽曲別歌唱レベル管理手段は、予め設定された利用者属性別に、歌唱採点値の偏差値を広域歌唱レベルとして楽曲毎に管理するための手段として機能する。また、選曲表示制御手段は、任意の利用者がローレベル選曲を行う際に、当該利用者の利用者属性に基づいて、楽曲別歌唱レベル管理手段で管理された利用者属性別の広域歌唱レベルデータを取得すると共に、当該利用者の利用者ＩＤに基づいて、利用者別歌唱レベル管理手段で管理されている利用者別歌唱レベルデータを取得し、検索結果である楽曲の中から、当該利用者の利用者別歌唱レベルと比較して難易度が低い利用者属性別の広域歌唱レベルである楽曲のみを選曲対象として表示部に一覧表示するための手段として機能する。
【００１３】
また、本発明の選曲者に対応したローレベル楽曲検索システムにおいて、選曲表示制御手段は、当該利用者の歌唱履歴楽曲を除いて、当該利用者の利用者別歌唱レベルと比較して難易度が低い広域歌唱レベルである楽曲のみを選曲対象として表示部に一覧表示するための手段として機能させることが可能である。
なお、利用者の属性とは、利用者の年齢、性別、居住地域等のことである。
【発明の効果】
【００１４】
本発明の選曲者に対応したローレベル楽曲検索システムでは、利用者が選曲を行う際に、当該利用者の歌唱レベルと比較して、難易度が低い楽曲のみを選曲対象として表示することができる。したがって、自らの歌唱レベルを勘案して容易に歌唱が可能な楽曲を選曲できるので、カラオケ装置を用いた歌唱の楽しさを十分に味わうことが可能となる。
【００１５】
また、利用者の属性に応じて歌唱レベルを管理することにより、利用者毎に適切な楽曲を選曲対象とすることができ、より一層適切な選曲を行うことが可能となる。
【００１６】
また、利用者の歌唱履歴楽曲を除いて、当該利用者の利用者別歌唱レベルと比較して難易度が低い楽曲のみを選曲対象として表示することにより、歌唱経験のない楽曲の中から容易に歌唱できる楽曲を選曲して、自らのレパートリーを増やすことができる。
【発明を実施するための最良の形態】
【００１７】
以下、図面を参照して本発明の選曲者に対応したローレベル楽曲検索システムの実施形態を説明する。
本発明の実施形態に係る選曲者に対応したローレベル楽曲検索システムは、任意のカラオケ演奏端末にシステムログインした利用者による楽曲検索結果を表示部に一覧表示させ、選曲指定された楽曲に選曲者の利用者ＩＤを付帯させて予約登録する機能を有している。
【００１８】
＜カラオケシステムの概要＞
図１は通信ネットワークを用いてカラオケシステムを構成した場合の模式図、図２はカラオケ演奏端末の概略構成を示すブロック図である。
本発明の実施形態に係る選曲者に対応したローレベル楽曲検索システムを適用するカラオケシステムは、図１に示すように、通信ネットワーク１２を介して相互に接続されたホスト装置１３と複数のカラオケ演奏端末１１とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１９】
＜ホスト装置／送受信部＞
ホスト装置１３は、図１に示すように、制御手段３１、送受信部３２、データ処理手段３３、楽曲別歌唱レベル管理手段３５、利用者別歌唱レベル管理手段３７、顧客データベース３４、楽曲別歌唱レベル管理データベース３６、利用者別歌唱レベル管理データベース３８を備えている。
【００２０】
送受信部３２は、各カラオケ演奏端末１１との間でデータの送受信を行うための手段であり、通信ネットワーク１２における通信方式の整合性を保つための通信回路やソフトウェアにより構成される。制御手段３１は、ホスト装置１３を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２１】
＜楽曲別歌唱レベル管理手段／楽曲別歌唱レベル管理データベース＞
楽曲別歌唱レベル管理手段３５は、楽曲別歌唱レベル管理データベース３６において、任意のカラオケ演奏端末１１で任意の利用者が歌唱した任意の楽曲について、それぞれの歌唱採点値の偏差値を広域歌唱レベルとして楽曲別に管理するためのプログラムからなる。
また、利用者の属性に基づき歌唱レベルを管理する場合には、楽曲別歌唱レベル管理手段３５は、予め設定された利用者属性別に、歌唱採点値の偏差値を広域歌唱レベルとして楽曲毎に管理するためのプログラムとして機能する。
【００２２】
図３は、楽曲別歌唱レベル管理データベース３６の構成例を示す説明図である。楽曲別歌唱レベル管理データベース３６は、図３に示すように、楽曲毎に、その歌唱採点値の偏差値である広域歌唱レベルを管理するためのデータベースである。図３に示す例では、全体の偏差値と共に、利用者の属性（年代）毎の偏差値を管理しているが、利用者の属性を考慮しない場合には、利用者の属性毎の偏差値は不要となる。また、管理対象となる利用者の属性は、年代、性別、居住地域等、どのような属性であってもよい。
なお、楽曲別歌唱レベル管理手段３５において広域歌唱レベルを管理する範囲は、全国に設置されたカラオケ演奏端末１１、任意のエリア（例えば、関東地方、中部地方、関西地方等のエリア）に設置されたカラオケ演奏端末１１、任意の店舗に設置されたカラオケ演奏端末１１等、どのような管理範囲を設定してもよい。
【００２３】
＜利用者別歌唱レベル管理手段／利用者別歌唱レベル管理データベース＞
利用者別歌唱レベル管理手段３７は、利用者別歌唱レベル管理データベース３８において、任意のカラオケ演奏端末１１で任意の利用者が利用者ＩＤを付帯して選曲した楽曲を当該利用者の歌唱履歴楽曲とすると共に、それぞれの歌唱採点値の偏差値を利用者別歌唱レベルとして利用者別に管理するためのプログラムからなる。具体的には、利用者別歌唱レベル管理手段３７では、任意のカラオケ演奏端末１１において各利用者がシステムログインしている間に、自らの利用者ＩＤに紐付けして選曲し演奏された楽曲、及びその楽曲の歌唱採点値の偏差値を取得して、利用者別歌唱レベル管理データベース３８を構築する。
【００２４】
図４は、利用者別歌唱レベル管理データベース３８の構成例を示す説明図である。利用者別歌唱レベル管理データベース３８は、図４に示すように、利用者毎に、歌唱経験がある楽曲及びその歌唱採点値の偏差値である個別楽曲歌唱レベル偏差値と、個別楽曲歌唱レベル偏差値の平均値である総合歌唱レベル偏差値により構成されている。この総合歌唱レベル偏差値が、当該利用者の歌唱レベルを表す利用者別歌唱レベルとなる。
なお、利用者別歌唱レベル管理データベース３８を別途構築するのではなく、顧客データベース３４の構成要素として利用者別歌唱レベル管理データベース３８を構築してもよい。
【００２５】
＜データ処理手段／顧客データベース＞
データ処理手段３３は、顧客データベース３４にアクセスして、データの抽出、変更、追加を処理するためのプログラムからなる。顧客データベース３４は、利用者毎に利用者情報が登録されたデータベースである。この顧客データベース３４は、利用者毎に、利用者ＩＤ、氏名、セカンドネーム（例えば愛称）、住所、電話番号、生年月日、性別、職業等が関連付けて構成されている。上述したように、この顧客データベース３４における構築データとして、利用者別歌唱レベルを含めてもよい。
【００２６】
＜カラオケ演奏端末＞
本発明の実施形態に係るカラオケ演奏端末１１は、図２に示すように、カラオケ本体２１、カラオケリモコン装置２２、ミキシングアンプ２３、スピーカ２４、マイクロホン２５、表示手段２６を備えている。カラオケ本体２１と表示手段２６とは、有線方式又は無線方式により接続されている。
【００２７】
＜カラオケリモコン装置＞
カラオケリモコン装置２２は、ユーザインタフェース機能を備えており、カラオケ本体２１のローカル送受信手段４７に対して有線方式又は無線方式によりデータの送受信を行うようになっており、データの送受信を行うための回路基板及びプログラムと、楽曲検索手段２２ａとして機能させるためのプログラムと、楽曲索引データベース２２ｂと、選曲表示制御手段２２ｃとして機能させるためのプログラムと、一時記憶領域であるフラッシュメモリ（図示せず）とを備えている。
【００２８】
＜楽曲索引データベース＞
楽曲検索手段２２ａが参照する楽曲索引データベース２２ｂは、カラオケ演奏端末１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。なお、楽曲索引データベース２２ｂの内容は、カラオケ演奏端末１１がホスト装置１３と通信を行う際に、適宜なタイミングで最新のものに更新される。
【００２９】
＜選曲表示制御手段＞
選曲表示制御手段２２ｃは、任意の利用者がローレベル選曲を行う際に、楽曲別歌唱レベル管理手段３５で管理された広域歌唱レベルデータ４５ｂを取得すると共に、当該利用者の利用者ＩＤに基づいて、利用者別歌唱レベル管理手段３７で管理されている利用者別歌唱レベルデータ４５ｃを取得し、検索結果である楽曲の中から、当該利用者の利用者別歌唱レベルと比較して難易度が低い広域歌唱レベルである楽曲のみを選曲対象として表示部に一覧表示するためのプログラムからなる。
【００３０】
また、楽曲別歌唱レベル管理手段３５において、利用者の属性に基づき広域歌唱レベルを管理している場合には、選曲表示制御手段２２ｃは、任意の利用者がローレベル選曲を行う際に、当該利用者の利用者属性に基づいて、楽曲別歌唱レベル管理手段３５で管理された利用者属性別の広域歌唱レベルデータ４５ｂを取得すると共に、当該利用者の利用者ＩＤに基づいて、利用者別歌唱レベル管理手段３７で管理されている利用者別歌唱レベルデータ４５ｃを取得し、検索結果である楽曲の中から、当該利用者の利用者別歌唱レベルと比較して難易度が低い利用者属性別の広域歌唱レベルである楽曲のみを選曲対象として表示部に一覧表示するためのプログラムとして機能する。
【００３１】
また、選曲表示制御手段２２ｃは、当該利用者の歌唱履歴楽曲を除いて、当該利用者の利用者別歌唱レベルと比較して難易度が低い広域歌唱レベルである楽曲のみを選曲対象として表示部に一覧表示する手段として機能させてもよい。
選曲表示制御手段２２ｃにおける選曲表示制御は、後に詳述する。
【００３２】
＜カラオケ本体＞
カラオケ本体２１は、バス４１、ネットワーク送受信手段４２、中央制御手段４３、ＲＯＭ４４、ＲＡＭ４５、ＨＤＤ４６、ローカル送受信手段４７、予約管理手段４８、音楽再生制御手段４９、Ａ／Ｄコンバータ５０、映像再生制御手段５１、利用者ＩＤ取得手段５２、ログイン利用者管理手段５３、歌唱採点手段５４を備えている。
【００３３】
＜中央制御手段＞
中央制御手段４３は、カラオケ演奏端末１１を総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００３４】
＜ＲＯＭ／ＲＡＭ＞
ＲＯＭ４４は、カラオケ演奏端末１１を構成する各機器を制御するためのアプリケーションプログラムデータや数値データを記憶するための機器で、例えば半導体メモリ等で構成される。また、ＲＡＭ４５は、アプリケーションプログラムや各種データを一時的に記憶する一時記憶領域として機能するもので、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列４５ａ、広域歌唱レベルデータ４５ｂ、利用者別歌唱レベルデータ４５ｃが格納されている。広域歌唱レベルデータ４５ｂ及び利用者別歌唱レベルデータ４５ｃは、ホスト装置１３とデータの送受信を行う際に受信し、ＲＡＭ４５に一時的に格納されるデータである。
【００３５】
＜ＨＤＤ／楽曲データベース／映像データベース＞
ＨＤＤ４６には、楽曲データベース４６ａ及び映像データベース４６ｂが格納されている。なお、ＨＤＤ４６に替えて、あるいはＨＤＤ４６と共に、データを書き替え可能なＤＶＤ等の大容量記憶装置を用いてもよい。
楽曲データベース４６ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース４６ｂは、演奏される楽曲に対応した背景映像を、当該楽曲の楽曲ＩＤに対応させた映像ファイルとして所定数格納したデータベースである。
【００３６】
＜利用者ＩＤ取得手段＞
利用者ＩＤ取得手段５２は、利用者がカラオケ演奏端末１１を利用する際に、利用者が所持するＩＤ媒体６１から利用者ＩＤを取得するための電子回路及びプログラムからなる。利用者ＩＤ取得手段５２で取得した利用者ＩＤは、ＲＡＭ４５に一時的に記憶され、ログイン利用者管理手段５３で管理される。ＩＤ媒体６１は、例えば、非接触型のＩＣカード、携帯電話、携帯情報端末等からなり、利用者ＩＤを記憶して、利用者ＩＤ取得手段５２との間でデータの送受信を行うことができるようになっている。
【００３７】
＜ログイン利用者管理手段＞
ログイン利用者管理手段５３は、現に当該カラオケ演奏端末１１にログインしている利用者を、利用者ＩＤに基づき特定して管理するためのプログラムからなる。すなわち、ログイン利用者管理手段５３では、利用者ＩＤ取得手段５２により利用者ＩＤが取得された場合に、この利用者ＩＤに基づいてカラオケ演奏端末１１にログインしている利用者を特定して管理する。
【００３８】
＜歌唱採点手段＞
歌唱採点手段５４は、歌唱者となる利用者を利用者ＩＤに基づき特定して、当該歌唱者の歌唱力を所定数の歌唱区間において採点するためのプログラムからなる。
歌唱採点では、マイクロホン２５より入力された歌唱者の音声信号から、音程、声量、テンポ等の歌唱評価データを抽出すると共に、この歌唱評価データと演奏楽曲の主旋律等のリファレンス情報とを比較して採点を行う。このような歌唱採点方法については、特開２００７−１２１９１７号公報等に詳細に記載されている。
歌唱採点手段５４における歌唱採点値は、ホスト装置１３に送信され、楽曲別歌唱レベル管理手段３５及び利用者別歌唱レベル管理手段３７において管理される。
【００３９】
＜音楽再生制御手段＞
音楽再生制御手段４９は、楽曲ＩＤに基づいて楽曲データベース４６ａから抽出された演奏データをデジタル再生すると共にアナログ変換してミキシングアンプ２３に出力するための電子回路である。ミキシングアンプ２３は、マイクロホン２５から入力された歌唱者の歌唱音声信号と、音楽再生制御手段４９から送出される演奏音声信号とをミキシングすると共に、アンプ機能により増幅してスピーカ２４より出力させるための装置である。なお、マイクロホン２５の数は１本に限られず、２本以上であってもよい。
また、マイクロホン２５は、Ａ／Ｄコンバータ５０を介してバス４１に接続されており、マイクロホン２５から入力された音声信号が歌唱採点手段５４における歌唱採点に使用される。
【００４０】
＜映像再生制御手段／表示手段＞
映像再生制御手段５１は、カラオケ演奏中に、映像データベース４６ｂから抽出した映像データ、及び楽曲データベース４６ａから抽出した楽曲データのうちの歌詞テロップデータ（歌詞文字データ）を当該楽曲の演奏データに同期させて表示手段２６に出力するための電子回路である。さらに、映像再生制御手段５１は、カラオケリモコン装置２２を介した利用者からの操作指示による予約楽曲リストの表示等を表示手段２６に表示させる機能も有している。
表示手段２６は、カラオケ演奏時の映像、歌詞テロップ等を表示するための装置で、例えば、ＣＲＴディスプレイ、液晶ディスプレイ、プラズマディスプレイ等により構成される。
【００４１】
＜予約管理手段＞
予約管理手段４８は、利用者によりカラオケリモコン装置２２における楽曲検索手段２２ａの機能を用いて選曲され、ローカル送受信手段４７を介して送信された当該選曲者の利用者情報（例えば利用者ＩＤ）及び選曲された楽曲ＩＤを対応付けて予約待ち行列４５ａとしてＲＡＭ４５に格納し、管理するためのプログラムである。なお、楽曲選択の表示や予約待ち行列４５ａの表示は、カラオケリモコン装置２２の入出力用表示部及び表示手段２６のいずれか一方、あるいは双方で行うことができる。
【００４２】
＜送受信手段＞
ローカル送受信手段４７は、カラオケリモコン装置２２との間でデータの送受信を行うための電子回路及びプログラムからなる。ネットワーク送受信手段４２は、通信ネットワーク１２を介してホスト装置１３との間でデータの送受信を行う際に、通信ネットワーク１２における通信方式の整合性を保つための電子回路及びプログラムからなる。
【００４３】
＜ローレベル選曲（１）＞
次に、ローレベル選曲を行う際の選曲表示制御について説明する。図５は、第１の実施形態に係るローレベル選曲を行う際の選曲表示制御の説明図である。
第１の実施形態では、図５に示すように、利用者がローレベル選曲を指定すると、利用者別歌唱レベル管理データベース３８から取得してＲＡＭ４５に一時記憶した当該利用者の利用者別歌唱レベルデータ４５ｃと、楽曲別歌唱レベル管理データベース３６から取得してＲＡＭ４５に一時記憶した広域歌唱レベルデータ４５ｂとを比較する。そして、当該利用者の利用者別歌唱レベルと比較して難易度が低い広域歌唱レベルである楽曲のみを選曲対象として入出力用表示部に一覧表示する。
ここで、広域歌唱レベルの偏差値が小さい楽曲は、多くの利用者が容易に歌唱できる楽曲であり、難易度が低い楽曲である。一方、広域歌唱レベルの偏差値が大きい楽曲は、多くの利用者にとって歌唱が難しい楽曲であり、難易度が高い楽曲である。
【００４４】
図５に示す例では、利用者歌唱レベルである総合歌唱レベル偏差値は「５７」となっている。そして、利用者Ａがローレベル選曲を行う際に検索ヒット楽曲となったのは、楽曲ａ、楽曲ｆ、楽曲ｇ、楽曲ｉ、楽曲ｋ、楽曲ｍ、楽曲ｎ、楽曲ｓであったとする。
【００４５】
ここで、利用者Ａの歌唱履歴楽曲と検索ヒット楽曲とを比較し、検索ヒット楽曲の中から、広域歌唱レベルが利用者Ａの歌唱レベル「５７」以下である楽曲を表示対象として抽出する。図５に示す例では、広域歌唱レベルが「５４」である楽曲ｆ、広域歌唱レベルが「４９」である楽曲ｉ、広域歌唱レベルが「５２」である楽曲ｋ、広域歌唱レベルが「５３」である楽曲ｓが表示対象として抽出される。
【００４６】
そして、図７に示すように、カラオケリモコン装置２２の入出力表示部において、表示対象となった楽曲ｆ、楽曲ｉ、楽曲ｋ、楽曲ｓを表示する。図７は、ローレベル選曲の表示例を示す模式図である。
【００４７】
＜ローレベル選曲（２）＞
図６は、第２の実施形態に係るローレベル選曲を行う際の選曲表示制御の説明図である。
第２の実施形態では、第１の実施形態の選曲表示制御の条件に加えて、検索ヒット楽曲の中から、当該利用者の歌唱履歴楽曲を除いて表示対象とする。
第２の実施形態では、図６に示すように、利用者がローレベル選曲を指定すると、利用者別歌唱レベル管理データベース３８から取得してＲＡＭ４５に一時記憶した当該利用者の利用者別歌唱レベルデータ４５ｃと、楽曲別歌唱レベル管理データベース３６から取得してＲＡＭ４５に一時記憶した広域歌唱レベルデータ４５ｂとを比較する。そして、検索ヒット楽曲の中から、当該利用者の歌唱履歴楽曲を除き、さらに、当該利用者の利用者別歌唱レベル以下の広域歌唱レベルである楽曲のみを選曲対象として入出力用表示部に一覧表示する。
【００４８】
図６に示す例では、利用者歌唱レベルである総合歌唱レベル偏差値は「５７」となっている。そして、利用者Ａがローレベル選曲を行う際に検索ヒット楽曲となったのは、楽曲ａ、楽曲ｆ、楽曲ｇ、楽曲ｉ、楽曲ｋ、楽曲ｍ、楽曲ｎ、楽曲ｓであったとする。
【００４９】
ここで、利用者Ａの歌唱履歴楽曲と検索ヒット楽曲とを比較し、検索ヒット楽曲の中から、利用者Ａの歌唱履歴楽曲を除くと共に、広域歌唱レベルが利用者Ａの歌唱レベル「５７」以下である楽曲を表示対象として抽出する。図６に示す例では、広域歌唱レベルが「５４」である楽曲ｆ、広域歌唱レベルが「４９」である楽曲ｉ、広域歌唱レベルが「５２」である楽曲ｋ、広域歌唱レベルが「５３」である楽曲ｓが、利用者Ａの歌唱レベル「５７」以下である。しかし、楽曲ｆは利用者Ａの歌唱履歴楽曲であるため、この楽曲が除かれて、楽曲ｉ、楽曲ｋ、楽曲ｓが表示対象として抽出される。そして、カラオケリモコン装置２２の入出力表示部において、表示対象となった楽曲ｉ、楽曲ｋ、楽曲ｓを表示する。
【００５０】
また、利用者の属性に基づき歌唱レベルを管理し、利用者の属性に応じてチャレンジ楽曲を抽出する場合には、比較対象となる広域歌唱レベルが、当該利用者の属性に応じた広域歌唱レベルとなる。例えば、２０代の利用者がローレベル選曲を行う場合には、楽曲別歌唱レベル管理手段３５において２０代の利用者に対応した利用者属性別の広域歌唱レベルとして管理されているデータに基づいて、歌唱レベルの比較が行われ、選曲対象となる楽曲が選定される。
なお、ローレベル選曲の指定は、例えば、カラオケリモコン装置２２の入出力用表示部に表示されるローレベル選曲ボタンにタッチすることにより行われる。
【００５１】
＜他の実施形態＞
本発明の選曲者に対応したローレベル楽曲検索システム及びその周辺装置を構成する機器や手段は上述したものに限定されず、カラオケシステムの利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５２】
さらに、顧客データベース３４、楽曲別歌唱レベル管理手段３５、楽曲別歌唱レベル管理データベース３６、利用者別歌唱レベル管理手段３７、及び利用者別歌唱レベル管理データベース３８をホスト装置１３の構成要素とするのではなく、カラオケ演奏端末１１の構成要素として、ローカルで顧客情報の管理及び歌唱レベルの管理を行ってもよい。
【図面の簡単な説明】
【００５３】
【図１】本発明の実施形態に係る選曲者に対応したローレベル楽曲検索システムを適用するカラオケシステムの概略構成を示すブロック図。
【図２】カラオケ演奏端末の構成を示すブロック図。
【図３】楽曲別歌唱レベル管理データベースの構成例を示す説明図。
【図４】利用者別歌唱レベル管理データベースの構成例を示す説明図。
【図５】第１の実施形態に係るローレベル選曲を行う際の選曲表示制御の説明図。
【図６】第２の実施形態に係るローレベル選曲を行う際の選曲表示制御の説明図。
【図７】ローレベル選曲の表示例を示す模式図。
【符号の説明】
【００５４】
１１  カラオケ演奏端末
１２  通信ネットワーク
１３  ホスト装置
２１  カラオケ本体
２２  カラオケリモコン装置
２２ａ  楽曲検索手段
２２ｂ  楽曲索引データベース
２２ｃ  選曲表示制御手段
２３  ミキシングアンプ
２４  スピーカ
２５  マイクロホン
２６  表示手段
３１  制御手段
３２  送受信部
３３  データ処理手段
３４  顧客データベース
３５  楽曲別歌唱レベル管理手段
３６  楽曲別歌唱レベル管理データベース
３７  利用者別歌唱レベル管理手段
３８  利用者別歌唱レベル管理データベース
４１  バス
４２  ネットワーク送受信手段
４３  中央制御手段
４４  ＲＯＭ
４５  ＲＡＭ
４５ａ  予約待ち行列
４５ｂ  広域歌唱レベルデータ
４５ｃ  利用者別歌唱レベルデータ
４６  ＨＤＤ
４６ａ  楽曲データベース
４６ｂ  映像データベース
４７  ローカル送受信手段
４８  予約管理手段
４９  音楽再生制御手段
５０  Ａ／Ｄコンバータ
５１  映像再生制御手段
５２  利用者ＩＤ取得手段
５３  ログイン利用者管理手段
５４  歌唱採点手段
６１  ＩＤ媒体
【図１】
2010008847.tif 000003
【図２】
2010008847.tif 000004
【図３】
2010008847.tif 000005
【図４】
2010008847.tif 000006
【図５】
2010008847.tif 000007
【図６】
2010008847.tif 000008
【図７】
2010008847.tif 000009